(57)【要約】【課題】出入管理機器を新たに導入する際の出入管理システムの停止時間を低減する。【解決手段】実施形態によれば、出入管理制御装置１０は、出入管理を行う施設における出入管理機器を制御する。出入管理制御装置１０は、複数種類の出入管理機器に利用可能な複数の種類のプログラムＰＡ、ＰＢ、ＰＣ、およびＰＤを保有するメモリ１２と、複数の種類のプログラムＰＡ、ＰＢ、ＰＣ、およびＰＤの中から選択すべきプログラムの選択を可能に構成された選択部１３と、選択の結果で選択されたプログラムを実行可能とする中央演算装置１１とを有する。【選択図】図２
2016212589.tif 000002
【特許請求の範囲】
【請求項１】
出入管理を行う施設における出入管理機器を制御する出入管理制御装置であって、
複数種類の前記出入管理機器に利用可能な複数の種類のプログラムを格納するメモリと、
前記複数の種類のプログラムの中から選択すべきプログラムの選択を可能に構成された選択部と、
前記選択の結果で選択されたプログラムを実行可能とする中央演算装置と、
を備えることを特徴とする出入管理制御装置。
【請求項２】
前記複数の種類のプログラムは、それぞれ出入管理機器の制御を行うための全体のプログラムであることを特徴とする請求項１に記載の出入管理制御装置。
【請求項３】
前記複数の種類のプログラムは、それぞれ出入管理制御のための全体のプログラムの要素としてのプログラム要素のそれぞれに関する選択可能な候補プログラム要素の組であることを特徴とする請求項１に記載の出入管理制御装置。
【請求項４】
前記選択部は、選択結果が目視可能な外部選択スイッチであることを特徴とする請求項１ないし請求項３のいずれか一項に記載の出入管理制御装置。
【請求項５】
前記選択部としての管理計算機を備え、
前記管理計算機は、管理テーブルを有し、対象とする前記出入管理機器のそれぞれについての開閉制御上の仕様を外部入力として受け入れ前記管理テーブルに収納するとともに仕様表示番号を導出し、当該仕様表示番号に対応する対応可能なプログラムを抽出し設定指令を前記中央演算装置に出力することを特徴とする請求項１ないし請求項３のいずれか一項に記載の出入管理制御装置。
【請求項６】
制御の対象とする前記出入管理機器は、複数であることを特徴とする請求項１ないし請求項５のいずれか一項に記載の出入管理制御装置。
【請求項７】
前記中央演算装置および前記メモリは、プログラマブルコントローラを用いて実現されることを特徴とする請求項１ないし請求項６のいずれか一項に記載の出入管理制御装置。
【発明の詳細な説明】
【技術分野】
【０００１】
本発明の実施形態は、出入管理を行う施設における出入管理機器を制御する出入管理制御装置に関する。
【背景技術】
【０００２】
発電施設や企業施設等の出入管理や侵入監視などを実施している運用中システムは、長時間システムの運用を停止して改造することがセキュリティの観点から困難であり、近年その傾向がますます強まっている。また、システムの運用を停止する必要のある改造時は、セキュリティ確保のため、警備員による立哨監視等を実施しており、停止時間が長くなればその人件費も増大する。
【先行技術文献】
【特許文献】
【０００３】
【特許文献１】特開平３−１０３０４号公報
【発明の概要】
【発明が解決しようとする課題】
【０００４】
前述のように、従来の発電施設や企業施設等の出入管理や侵入監視などを実施している運用中システムは、長時間システムの運用を停止して改造することがセキュリティの観点から困難である。また、たとえば、監視を要する施設の中に新たな建屋を新設する場合、施設全体としては出入管理が運用されている中で、当該建屋についてのシステム運用が長時間なされないことは望ましくない。
【０００５】
一方、セキュリティ強化の方向から、運用中システムの出入管理機器の変更、侵入監視区間の追加等、改造の要求が増えてきている。
【０００６】
そこで、本発明の実施形態は、出入管理機器を新たに導入する際の出入管理システムの停止時間を低減することを目的とする。
【課題を解決するための手段】
【０００７】
上述の目的を達成するため、本実施形態は、出入管理を行う施設における出入管理機器を制御する出入管理制御装置であって、複数種類の前記出入管理機器に利用可能な複数の種類のプログラムを保有するメモリと、前記複数の種類のプログラムの中から選択すべきプログラムの選択を可能に構成された選択部と、前記選択の結果で選択されたプログラムを実行可能とする中央演算装置と、を備えることを特徴とする。
【発明の効果】
【０００８】
本発明の実施形態によれば、出入管理機器を新たに導入する際の出入管理システムの停止時間を低減することが可能となる。
【図面の簡単な説明】
【０００９】
【図１】第１の実施形態に係る出入管理制御装置を含んだ出入管理に係る全体構成を示す概念的な斜視図である。
【図２】第１の実施形態に係る出入管理制御装置の構成を示すブロック図である。
【図３】第１の実施形態に係る出入管理制御装置の開閉制御の内容を示すテーブルである。
【図４】第１の実施形態に係る出入管理制御装置の全体プログラム候補群を示すテーブルである。
【図５】第１の実施形態に係る出入管理制御方法の手順を示すフロー図である。
【図６】第２の実施形態に係る出入管理制御装置の構成を示すブロック図である。
【図７】第３の実施形態に係る出入管理制御装置の構成を示すブロック図である。
【図８】第３の実施形態に係る出入管理制御装置の管理計算機の有する管理テーブルの例を示す表である。
【図９】第４の実施形態に係る出入管理制御装置の構成を示すブロック図である。
【図１０】第４の実施形態に係る出入管理制御方法の手順を示すフロー図である。
【図１１】第５の実施形態に係る出入管理制御装置の構成を示すブロック図である。
【図１２】第６の実施形態に係る出入管理制御装置の構成を示すブロック図である。
【発明を実施するための形態】
【００１０】
以下、図面を参照して、本発明の実施形態に係る出入管理制御装置について説明する。ここで、互いに同一または類似の部分には、共通の符号を付して、重複説明は省略する。
【００１１】
［第１の実施形態］
図１は、第１の実施形態に係る出入管理制御装置を含んだ出入管理に係る全体構成を示す概念的な斜視図である。出入管理対象施設１ａ、１ｂには、出入管理機器５が設けられており、出入管理機器５は、出入管理制御装置１０によって開閉制御される。
【００１２】
たとえば、出入管理対象施設１ａの入口には、出入管理機器５としてたとえば複数のボックス型出入扉５ａが設けられている。複数のボックス型出入扉５ａのそれぞれは、出入管理制御装置１０により開閉制御される。また、出入管理対象施設１ａの内部においても、出入管理の対象となる室、あるいはエリアの入り口には、出入管理機器５としてたとえば単一扉５ｂが設けられており、出入管理制御装置１０により開閉制御される。また、出入管理対象施設１ｂの入口には、出入管理機器５としてたとえば複数のゲート５ｃが設けられ、全体が一つの出入管理制御装置１０により開閉制御される。
【００１３】
以上のように、ボックス型出入扉５ａ、単一扉５ｂ、およびゲート５ｃのように型式の異なる出入管理機器５が設けられている。また、同じボックス型出入扉５ａでも、現在運用中の運用中機器６ａの他に、新規に導入された新規導入機器６ｂがある。このように、多種類の出入管理機器５が設けられている。
【００１４】
ここで、出入管理機器５の開閉制御を行う出入管理制御装置１０のうち、ボックス型出入扉５ａの出入管理制御装置１０、あるいは単一扉５ｂの出入管理制御装置１０は、それぞれの機器に対応して設けられている。一方、複数のゲート５ｃについては、１台の出入管理制御装置１０が設けられている。
【００１５】
図２は、第１の実施形態に係る出入管理制御装置１０の構成を示すブロック図である。出入管理制御装置１０は、中央演算装置１１、プログラム格納メモリ１２、外部切り替えスイッチユニット１３、入力ボード１４、および出力ボード１５を有する。これらは、全体として制御ユニット６０の形態で一体に形成されている。なお、中央演算装置１１、入力ボード１４、および出力ボード１５は、たとえば、プログラマブルコントローラ（ＰＬＣ：Ｐｒｏｇｒａｍｍａｂｌｅ  Ｌｏｇｉｃ  Ｃｏｎｔｒｏｌｌｅｒ）を用いることができる。
【００１６】
入力ボード１４は、制御対象である出入管理機器５からのフィードバック信号、出入管理機器５の異常状態を含む状態に係る信号を受け入れる。また、出力ボード１５は、出入管理機器５に制御指令信号を出力する。
【００１７】
プログラム格納メモリ１２は、プログラム記憶用のメモリであり、出入管理機器５を制御するための制御プログラムを収納する。ここで、制御プログラムＰＡ、ＰＢ、ＰＣおよびＰＤと複数の制御プログラムが収納されている。それぞれの制御プログラムは、単独で、出入管理機器５を制御可能であるが、対象とし得る出入管理機器５が互いに異なる。
【００１８】
外部切り替えスイッチユニット１３は、プログラムの選択部であり、外部からスイッチを操作することにより、プログラム格納メモリ１２に収納されている制御プログラムの中から、当該出入管理制御装置１０が使用するプログラムを選択する。
【００１９】
外部切り替えスイッチユニット１３は、たとえばＤＩＰ（Ｄｕａｌ  Ｉｎ−ｌｉｎｅ  Ｐａｃｋａｇｅ）スイッチを用いることができる。ＤＩＰスイッチにより後述するようなプログラムの番号を指定する。番号を指定することにより制御プログラムが選択される。ＤＩＰスイッチのそれぞれの０または１の選択結果が目視可能であるため、どの内容のプログラムが選択されたかが目視可能である。
【００２０】
中央演算装置１１は、選択された制御プログラムを用いて、入力ボード１４で受け入れた出入管理機器５からのフィードバック信号、あるいは状態信号にもとづき、制御演算を行う。また、中央演算装置１１は、出入管理制御装置１０内の各要素間の実行の調整を行う。
【００２１】
外部切り替えスイッチユニット１３を除いて、出入管理制御装置１０の、中央演算装置１１、プログラム格納メモリ１２、入力ボード１４、および出力ボード１５を有する装置としては、たとえば、ＰＬＣ（Ｐｒｏｇｒａｍｍａｂｌｅ  Ｌｏｇｉｃ  Ｃｏｎｔｒｏｌｌｅｒ）を用いることができる。あるいは、直接、設定できれば、他の方式のものでもよい。
【００２２】
図３は、第１の実施形態に係る出入管理制御装置の開閉制御の内容を示すテーブルである。各行のＢＴ１ないしＢＴ１６は、項目に対応するビットである。したがって、図３は、１６ビットで開閉制御の要目を表現する場合を示している。各列は、項目の内容、および２つのケースを示す。
【００２３】
第１のビットＢＴ１は、扉制御の種別を示す。自動扉（ビット値０）の場合、および手動扉（ビット値１）の場合がある。第２のビットＢＴ２は、開閉信号の取り合いを示す。開で０（閉で１）の場合、および開で１（閉で０）の場合がある。第３のビットは施／解錠信号取り合いを示す。解錠で０（施錠で１）の場合、および解錠で１（施錠で０）の場合がある。第４のビットＢＴ４は、指令信号取り合いを示す。解錠で０（施錠で１）の場合、および解錠で１（施錠で０）の場合がある。
【００２４】
第５のビットＢＴ５ないし第８のビットＢＴ８までの４ビットは、扉解錠時間を示す。４ビットで、００００から１１１１まで、すなわち１０進法で０から１５（秒）を設定可能である。
【００２５】
第６のビットＢＴ９ないし第１４のビットＢＴ１４までの６ビットは、扉開放異常時間を示す。６ビットで、００００００から１１１１１１まで、すなわち１０進法で０から６３（秒）を設定可能である。この設定は、扉開放に要する時間が長い、すなわち扉開放の動作が渋滞しているか否かの判定値である。
【００２６】
ビットＢＴ１５およびビットＢＴ１６は、予備である。以上のように、ビットＢＴ１からビットＢＴ１４までの１４ビットで、扉制御の種別、開閉信号の取り合い、施／解錠信号取り合い、指令信号取り合い、扉解錠時間、および扉解放異常時間を示す。なお、開閉制御の内容は、例として示すものであり、項目に増減があってもよい。また、それぞれのビット数も対象とする出入管理機器５の状況に応じて変更すればよい。
【００２７】
図４は、第１の実施形態に係る出入管理制御装置の全体プログラム候補群を示すテーブルである。図４は、全体プログラムとして、プログラムＰＡ、プログラムＰＢ、プログラムＰＣおよびプログラムＰＤを、プログラム格納メモリ１２が収納している場合を示す。図４の表の各列は、図３の各行の内容、すなわち出入管理機器５の開閉制御に係る仕様の項目を示す。また、最も右の列は、これらを１６ビットで表現した番号であり、以下、図４に示すように仕様表示番号と呼ぶ。
【００２８】
プログラムＰＡは、扉制御種別が自動扉、開閉信号取合が開で１、施／解錠信号取合が解錠で０、指令信号取合が解錠で０、扉解錠時間が３秒、扉開放異常時間が３０秒の開閉機構に対応可能なプログラムであり、仕様表示番号は、０１００００１１０１１１１０となる。
【００２９】
プログラムＰＢは、扉制御種別が自動扉、開閉信号取合が開で１、施／解錠信号取合が解錠で１、指令信号取合が解錠で０、扉解錠時間が３秒、扉開放異常時間が３０秒の開閉機構に対応可能なプログラムであり、仕様表示番号は、０１１０００１１０１１１１０となる。
【００３０】
プログラムＰＣは、扉制御種別が自動扉、開閉信号取合が開で１、施／解錠信号取合が解錠で０、指令信号取合が解錠で１、扉解錠時間が３秒、扉開放異常時間が３０秒の開閉機構に対応可能なプログラムであり、仕様表示番号は、０１０１００１１０１１１１０となる。
【００３１】
プログラムＰＤは、扉制御種別が自動扉、開閉信号取合が開で１、施／解錠信号取合が解錠で１、指令信号取合が解錠で１、扉解錠時間が３秒、扉開放異常時間が３０秒の開閉機構に対応可能なプログラムであり、仕様表示番号は、０１１１００１１０１１１１０となる。
【００３２】
外部切り替えスイッチユニット１３は、１６ビットのそれぞれのビットに１または０を選択し設定することができる。たとえば、外部切り替えスイッチユニット１３で、仕様表示番号として、０１０１００１１０１１１１０と設定した場合は、ＣＰＵ１１は、プログラム格納メモリ１２が収納しているプログラムＰＡ、ＰＢ、ＰＣおよびＰＤの中から、この設定に対応するプログラムＰＣを選択する。
【００３３】
図５は、第１の実施形態に係る出入管理制御方法の手順を示すフロー図である。選択された出入管理機器５について、対応可能なプログラムが、プログラムＰＡ、プログラムＰＢ、プログラムＰＣおよびプログラムＰＤのいずれであるかを判定する（ステップＳ１０）。この際の、選択された対象の出入管理機器５が、どのような開閉制御の対象であるかの判断は、対象の出入管理機器５の供給者あるいは設置者からの、仕様書等の情報に基づいて行う。
【００３４】
判定の結果に基づいて、プログラムＰＡならプログラムＰＡを選択する（ステップＳ１１）。プログラムＰＢならプログラムＰＢを選択する（ステップＳ１２）。プログラムＰＣならプログラムＰＣを選択する（ステップＳ１３）。また、プログラムＰＤならプログラムＰＤを選択する（ステップＳ１４）。いずれにも該当しない場合は、この対象の出入管理機器５をスキップする。なお、選択は、外部切り替えスイッチユニット１３で仕様表示番号を設定することにより行う。この結果、ＣＰＵ１１は、設定された仕様表示番号に対応するプログラムを選択する。選択されたプログラムが、対象とする出入管理機器５の開閉制御をおこなうプログラムとなる。
【００３５】
以上の後に、次の出入管理機器の有無を判定し（ステップＳ１５）、有れば（ステップＳ１５  ＹＥＳ）その出入管理機器５についてステップＳ１０以下を繰り返す。無ければ（ステップＳ１５  ＮＯ）終了する。
【００３６】
以上のように、本実施形態によれば、出入管理機器５の更新あるいは導入に際して、新たな出入管理機器５の制御プログラムを個別に設定するのではなく、あらかじめ予想される複数の制御プログラムの中から選択することが可能である。
【００３７】
この結果、新たな出入管理機器５の設置後、短時間で運用を開始することができ、人間系によらないセキュリティの早期確保、経済性の向上を図ることができる。
【００３８】
［第２の実施形態］
図６は、第２の実施形態に係る出入管理制御装置の構成を示すブロック図である。本第２の実施形態は、第１の実施形態の変形である。本第２の実施形態における出入管理制御装置１０は、カセット収納部１６をさらに有する。カセット収納部１６も、ＣＰＵ１１、外部切り替えスイッチユニット１３などとともに、制御ユニット６０の一部として一体に形成されている。
【００３９】
カセット収納部１６内には、プログラム記憶用のメモリとして、外部メモリユニット２１が収納される。外部メモリユニット２１は、全体プログラムとして、プログラムＰＡ、プログラムＰＢ、プログラムＰＣおよびプログラムＰＤを記憶する。
【００４０】
外部切り替えスイッチユニット１３によって、１６ビットの仕様表示番号を設定すると、ＣＰＵ１１は、設定された仕様表示番号に対応するプログラムを選択する。選択されたプログラムが、対象とする出入管理機器５の開閉制御をおこなうプログラムとなる。
【００４１】
複数の出入管理機器５についての新たなプログラムへの更新を行っているとき、あるいは行おうとしているときに、準備しているプログラムで対応できない開閉制御方式の出入管理機器の存在の可能性が判明する場合がある。全体プログラムを外部メモリユニット２１に収納可能とすることにより、更新作業を実施することと並行して、新たなプログラムを含むプログラムを収納する外部メモリユニット２１を作成することができる。
【００４２】
この結果、当面の更新作業を停止することなく、新たに判明した事態にも対応することができる。
【００４３】
［第３の実施形態］
図７は、第３の実施形態に係る出入管理制御システムの構成を示すブロック図である。本実施形態は、第１の実施形態の変形である。本第３の実施形態における出入管理制御装置１０は、制御ユニット６０および管理計算機５０を有する。
【００４４】
制御ユニット６０は、中央演算装置１１、プログラム格納メモリ１２、入力ボード１４、出力ボード１５を有する。すなわち、実施形態１においてプログラムの選択部として設けられている外部切り替えスイッチユニットは、本実施形態においては設けられていない。管理計算機５０は、入力部５１、管理テーブル５２、および出力部５３を有する。本第３の実施形態においては、管理計算機５０が、プログラムの選択部の機能を有する。
【００４５】
図８は、管理計算機の有する管理テーブル５２の例を示す表である。管理テーブル５２の各行は、対象とする出入管理機器である。管理テーブル５２の各列は、出入管理機器の番号、出入管理機器の扉制御種別、開閉信号の取り合い、施／解錠信号取り合い、指令信号取り合い、扉解錠時間、および扉解放異常時間、ビット表示、対応可能プログラムである。
【００４６】
対象とする各出入管理機器５について、扉制御種別、開閉信号の取り合い、施／解錠信号取り合い、指令信号取り合い、扉解錠時間、および扉解放異常時間を、管理計算機５０の入力部５１が受け入れ、管理テーブル５２に収納される。
【００４７】
管理テーブル５２に収納された扉制御種別、開閉信号の取り合い、施／解錠信号取り合い、指令信号取り合い、扉解錠時間、および扉解放異常時間により、管理計算機５０は、仕様表示番号を設定する。出入管理機器５のそれぞれに設定されたこの仕様表示番号から、対応可能なプログラムを抽出あるいは選択する。抽出あるいは選択された対応可能プログラムの、たとえば、ＰＡ、ＰＢなどの種別情報は、出力部５３から、選択指令信号として、制御ユニット６０のＣＰＵ１１に出力される。
【００４８】
図７に示すように、管理計算機５０の出力部５３から出力された選択された対応可能プログラムの種別に関する種別情報は、出入管理制御装置１０の入力ボード１４に出力される。入力ボード１４が受け入れた種別情報に基づいて、ＣＰＵ１１は、プログラム格納メモリ１２に格納されているプログラムＰＡ、プログラムＰＢ、プログラムＰＣ、およびプログラムＰＤ中から対応するプログラムを選択し、そのプログラムに基づいて開閉制御を行う。
【００４９】
本実施形態によれば、対象とする複数の出入管理機器５に関する制御情報を管理計算機５０の入力部５１から入力することによって、複数の出入管理機器５のそれぞれに対応可能なプログラムに基づいて出入管理制御装置１０による開閉制御を行うことができる。
【００５０】
［第４の実施形態］
図９は、第４の実施形態に係る出入管理制御装置の構成を示すブロック図である。本実施形態は、第１の実施形態の変形である。本実施形態による出入管理制御装置１０のプログラム格納メモリ１２は、サブプログラムＳＰ１１、ＳＰ１２、ＳＰ２１、ＳＰ２２、ＳＰ３１、ＳＰ３２、ＳＰ４１およびＳＰ４２を収納する。ここで、サブプログラムとは、全体プログラムの構成要素である。
【００５１】
出入管理機器５の開閉制御の全体を、たとえば、第１の制御ブロックないし第４の制御ブロックという４つの制御ブロックに分割し、それぞれに対して対応可能なサブプログラムを、それぞれ、第１サブプログラムないし第４サブプログラムと呼ぶこととする。ここで、分割数を４としたのは単なる例であり、全体プログラムの内容により分割数を決めればよい。
【００５２】
それぞれのサブプログラムについての候補が準備され、プログラム格納メモリ１２がこれを収納している。すなわち、第１サブプログラムの候補としてサブプログラムＳＰ１１およびサブプログラムＳＰ１２、第２サブプログラムの候補としてサブプログラムＳＰ２１およびサブプログラムＳＰ２２、第３サブプログラムの候補としてサブプログラムＳＰ３１およびサブプログラムＳＰ３２、第４サブプログラムの候補としてサブプログラムＳＰ４１およびサブプログラムＳＰ４２が収納されている。
【００５３】
図１０は、第４の実施形態に係る出入管理制御方法の手順を示すフロー図である。図１０は、出入管理機器５のそれぞれについての手順を示している。
【００５４】
まず、出入管理制御装置１０のＣＰＵ１１は、第１サブプログラムとして選択すべきなのはＳＰ１１かＳＰ１２かを判定する（ステップＳ２１）。ここで、判定については、現在のフローで対象としている出入管理機器５の開閉制御に関わる仕様を確認して、それに対応可能な第１サブプログラムはいずれであるかを判定することにより行う。ステップＳ２１で第１サブプログラムとして選択すべきなのはＳＰ１１であると判定されたらＳＰ１１を選択する（ステップＳ２２ａ）。ステップＳ２１で第１サブプログラムとして選択すべきなのはＳＰ１２であると判定されたらＳＰ１２を選択する（ステップＳ２２ｂ）。
【００５５】
次に、出入管理制御装置１０のＣＰＵ１１は、第２サブプログラムとして選択すべきなのはＳＰ２１かＳＰ２２かを判定する（ステップＳ２３）。ステップＳ２３で第２サブプログラムとして選択すべきなのはＳＰ２１であると判定されたらＳＰ２１を選択する（ステップＳ２４ａ）。ステップＳ２３で第２サブプログラムとして選択すべきなのはＳＰ２２であると判定されたらＳＰ２２を選択する（ステップＳ２４ｂ）。
【００５６】
次に、出入管理制御装置１０のＣＰＵ１１は、第３サブプログラムとして選択すべきなのはＳＰ３１かＳＰ３２かを判定する（ステップＳ２５）。ステップＳ２５で第３サブプログラムとして選択すべきなのはＳＰ３１であると判定されたらＳＰ３１を選択する（ステップＳ２６ａ）。ステップＳ２５で第３サブプログラムとして選択すべきなのはＳＰ３２であると判定されたらＳＰ３２を選択する（ステップＳ２６ｂ）。
【００５７】
次に、出入管理制御装置１０のＣＰＵ１１は、第４サブプログラムとして選択すべきなのはＳＰ４１かＳＰ４２かを判定する（ステップＳ２７）。ステップＳ２７で第４サブプログラムとして選択すべきなのはＳＰ４１であると判定されたらＳＰ４１を選択する（ステップＳ２８ａ）。ステップＳ２７で第４サブプログラムとして選択すべきなのはＳＰ４２であると判定されたらＳＰ４２を選択する（ステップＳ２８ｂ）。
【００５８】
最後に、あらたにプログラムを設定すべき次の出入管理機器５が有るか否かを判定する（ステップＳ２９）。無ければ（ステップＳ２９  ＮＯ）終了する。有れば（ステップＳ２９  ＹＥＳ）、次の出入管理機器５についてステップＳ２１以降を実施する。
【００５９】
以上のように、本実施形態においては、プログラム格納メモリ１２に収納するプログラムを、サブプログラム別の候補とする。この結果、全体プログラムとして候補を準備する場合に、全ての組合せを準備するには１６（＝２４）通りの全体プログラムが必要であるのに比べて、８通りの、かつ全体プログラムより容量の小さいサブプログラムを収納すればよい。この結果、ケース数が多い場合にも、プログラム格納メモリ１２の容量の増大を抑えながら対応可能である。
【００６０】
［第５の実施形態］
図１１は、第５の実施形態に係る出入管理制御装置の構成を示すブロック図である。本実施形態は、第４の実施形態の変形である。第４の実施形態においては、出入管理制御装置１０は、プログラム格納メモリ１２に、候補となるサブプログラムを収納している。一方、本第５の実施形態においては、カセット収納部１６に収納される外部メモリユニット２１内に候補となるサブプログラムを収納している。
【００６１】
すなわち、本第５の実施形態は、第２の実施形態と第４の実施形態の組合せである。したがって、ケース数が多い場合にも、プログラム格納メモリ１２の容量の増大を抑えながら対応可能であるという第４の実施形態の効果と、更新作業を実施することと並行して、新たなプログラムを含むプログラムを収納する外部メモリユニット２１を作成することができるという第２の実施形態の効果の両者を有している。
【００６２】
［第６の実施形態］
図１２は、第６の実施形態に係る出入管理制御装置の構成を示すブロック図である。本第６の実施形態は、第４の実施形態の変形である。第４の実施形態においては、出入管理制御装置１０は、外部切り替えスイッチユニット１２から選定のための入力を行う。一方、本第６の実施形態においては、管理計算機５０から選定のための入力を行う。管理計算機５０の構成および作用は第３の実施形態と同様である。
【００６３】
すなわち、本第６の実施形態は、第３の実施形態と第４の実施形態の組合せである。したがって、ケース数が多い場合にも、プログラム格納メモリ１２の容量の増大を抑えながら対応可能であるという第４の実施形態の効果と、対象とする複数の出入管理機器５に関する制御情報を管理計算機５０の入力部５１から入力することによって、複数の出入管理機器５のそれぞれに対応可能なプログラムに基づいて制御ユニット６０による開閉制御を行うことができるという第３の実施形態の効果の両方が得られる。
【００６４】
［その他の実施形態］
以上、本発明のいくつかの実施形態を説明したが、これらの実施形態は、例として提示したものであり、発明の範囲を限定することは意図していない。また、各実施形態の特徴を組み合わせてもよい。
【００６５】
さらに、これらの実施形態は、その他の様々な形態で実施されることが可能であり、発明の要旨を逸脱しない範囲で、種々の省略、置き換え、変更を行うことができる。
【００６６】
これら実施形態やその変形は、発明の範囲や要旨に含まれると同様に、特許請求の範囲に記載された発明とその均等の範囲に含まれるものである。
【符号の説明】
【００６７】
１ａ、１ｂ…出入管理対象施設、５…出入管理機器、５ａ…ボックス型出入扉、５ｂ…単一扉、５ｃ…ゲート、６ａ…運用中機器、６ｂ…新規導入機器、１０…出入管理制御装置、１１…中央演算装置（ＣＰＵ）、１２…プログラム格納メモリ、１３…外部切り替えスイッチユニット（選択部）、１４…入力ボード、１５…出力ボード、１６…カセット収納部、２１…外部メモリユニット、５０…管理計算機（選択部）、５１…入力部、５２…管理テーブル、５３…出力部、６０…制御ユニット
【図１】
2016212589.tif 000003
【図２】
2016212589.tif 000004
【図３】
2016212589.tif 000005
【図４】
2016212589.tif 000006
【図５】
2016212589.tif 000007
【図６】
2016212589.tif 000008
【図７】
2016212589.tif 000009
【図８】
2016212589.tif 000010
【図９】
2016212589.tif 000011
【図１０】
2016212589.tif 000012
【図１１】
2016212589.tif 000013
【図１２】
2016212589.tif 000014